(57)【要約】      （修正有）【課題】外部記録媒体に記録された楽曲データを高速に他の記録媒体に記録する際の操作性のよい記録再生装置、記録再生方法および制御プログラムを提供する。【解決手段】記録再生装置１に、外部記録媒体１１から楽曲データを取得する楽曲データ取得部１０と、楽曲データを記録媒体２１に記録データとして記録する記録部２０と、楽曲データまたは記録データを再生する再生部３０と、記録部２０による記録と並行して再生部３０に記録データを再生させ、記録対象の全楽曲データの記録が終了すると、記録データの再生を停止させ、再生停止された記録データに対応する楽曲データを再生部３０に再生させるように制御する制御部６０と、を備えさせる。【選択図】図１
2007250098.tif 000002
【特許請求の範囲】
【請求項１】
外部記録媒体から楽曲データを取得する楽曲データ取得部と、
前記楽曲データを記録媒体に記録データとして記録する記録部と、
前記楽曲データまたは前記記録データを再生する再生部と、
前記記録部による記録と並行して前記再生部に前記記録データを再生させ、前記記録対象の全楽曲データの記録が終了すると、前記記録データの再生を停止させ、再生停止された記録データに対応する楽曲データを前記再生部に再生させるように制御する制御部と、
を備えたことを特徴とする記録再生装置。
【請求項２】
請求項１記載の記録再生装置において、
前記制御部は、前記再生部に前記記録終了時に再生停止させた前記記録データに対応する楽曲データを再生させる際に、当該楽曲データを最初から再生させること、
を特徴とする記録再生装置。
【請求項３】
請求項１記載の記録再生装置において、
前記制御部は、前記再生部に前記記録終了時に再生停止させた前記記録データの再生開始からの経過時間に基づき、当該経過時間に対応する再生位置から前記楽曲データを再生させること、
を特徴とする記録再生装置。
【請求項４】
請求項１〜３のいずれか一項に記載の記録再生装置において、
ユーザから操作指示の入力を受け付ける入力部を備え、
前記制御部は、全楽曲データの記録が終了するまでの間、前記入力部における前記楽曲データ取得部に対する操作指示の入力の受け付けを禁止すること、
を特徴とする記録再生装置。
【請求項５】
請求項１〜４のいずれか一項に記載の記録再生装置において、
前記制御部は、前記楽曲データが前記記録媒体に記録される速度が前記記録データが再生される速度よりも早くなるように制御すること、
を特徴とする記録再生装置。
【請求項６】
記録再生装置を用いて外部記録媒体から楽曲データを取得して記録媒体に記録するとともに楽曲データの再生を行う記録再生方法において、
外部記録媒体から楽曲データを取得する過程と、
前記楽曲データを記録媒体に記録データとして記録するとともに、当該楽曲データの記録と並行して前記再生部に前記記録データを再生させ、前記記録対象の全楽曲データの記録が終了すると、前記記録データの再生を停止させ、再生停止された記録データに対応する楽曲データを再生させる過程と、
を備えたことを特徴とする記録再生方法。
【請求項７】
楽曲データ取得部と、記録部と、再生部とを備える記録再生装置をコンピュータを用いて制御する制御プログラムにおいて、
前記楽曲データ取得部に、外部記録媒体から楽曲データを取得させ、
前記記録部に前記楽曲データを記録媒体に記録データとして記録させ、
前記記録部による記録と並行して前記再生部に前記記録データを再生させ、前記記録対象の全楽曲データの記録が終了すると、前記記録データの再生を停止させ、再生停止された記録データに対応する楽曲データを前記再生部に再生させること、
を特徴とする制御プログラム。
【発明の詳細な説明】
【技術分野】
【０００１】
本発明は、データの記録再生を行う記録再生装置、記録再生方法および制御プログラムに関する。
【背景技術】
【０００２】
従来、音楽ＣＤ（コンパクトディスク）などの外部記録媒体から供給される楽曲データを２倍速など通常の再生速度よりも速い速度でハードディスク装置等の他記録媒体に記録、すなわち録音させることができる記録再生装置が知られている（例えば、特許文献１参照）。このような記録再生装置では、外部記録媒体から通常の再生速度より早い速度で読み出した楽曲データに基づいて外部に音声を出力すると、再生速度が速すぎてユーザには聞き苦しくなるため、録音中は、外部記録媒体に記録された楽曲データではなく、記録媒体に録音された録音データを通常の再生速度で再生して外部に音声として出力する構成としていた。
【特許文献１】特開２００１−１５５４１１号公報
【発明の開示】
【発明が解決しようとする課題】
【０００３】
ところで、上記従来のような記録再生装置では、データ処理上の観点（処理能力、メモリ容量等）から録音が完了するまでの間は録音がなされていない楽曲データを再生させることはできないようにされていた。このため、録音データの再生中は早送り等の選曲操作等を禁止する必要があった。しかしながら、ユーザはどの時点で録音が完了したのかを知ることができないので、どの時点から早送り等の選曲操作を行えるかを知ることができず、操作性の悪いものとなっていた。
【０００４】
また、上記従来のような記録再生装置で、１曲分の楽曲データのみを録音する場合には、１曲分の楽曲データの再生が終了するまで、ユーザには操作の待機が強いられ、実質的には等倍速で録音されているのと等しい状況ともなり、高速録音機能を十分に発揮させることができなかった。
【０００５】
さらに、上記従来の記録再生装置においては、録音の途中で再生停止指示がユーザから入力された場合には、録音データの再生停止および録音停止が行われ、録音のみを停止したい場合には一度再生を停止させて、再度再生させたい楽曲を選択して再生させる必要があり、操作が煩雑となっていた。
【０００６】
本発明の課題は、外部記録媒体に記録された楽曲データを高速に他の記録媒体に記録する際の操作性のよい記録再生装置、記録再生方法および制御プログラムを提供することにある。
【課題を解決するための手段】
【０００７】
上記課題を解決するために、本発明の記録再生装置は、外部記録媒体から楽曲データを取得する楽曲データ取得部と、前記楽曲データを記録媒体に記録データとして記録する記録部と、前記楽曲データまたは前記記録データを再生する再生部と、前記記録部による記録と並行して前記再生部に前記記録データを再生させ、前記記録対象の全楽曲データの記録が終了すると、前記記録データの再生を停止させ、再生停止された記録データに対応する楽曲データを前記再生部に再生させるように制御する制御部と、を備えたことを特徴とする。
上記構成によれば、全楽曲データの記録（録音）終了時に記録媒体に記録された記録データの再生が停止され、再生停止された記録データに対応する楽曲データが外部記録媒体から取得されて再生される。すなわち、記録終了時には再生部において再生されるデータが記録データから楽曲データに切り替わるので、ユーザは、記録終了とともに早送り操作等、外部記録媒体に記録された楽曲データの再生等に関する操作を直ちに行うことができる。このため、外部記録媒体に記録された楽曲データを高速に他の記録媒体に記録する際の操作性がよい。
また、ユーザは記録終了時に外部記録媒体からの楽曲データの再生等に関する操作を直ちに行えるので、記録終了時に再生していた記録データの再生が終了するまで待機する必要がない。このため、通常の再生速度よりも高速に記録をした際でも記録時間（録音時間）が実質的に記録データの再生時間に拘束されるといったことがなく、高速記録（高速録音）の機能を十分に発揮することができる。
また、記録終了時に再生されていた記録データに対応する楽曲データが外部記録媒体から再生されるので、同じ楽曲データの再生を行いたい場合に改めて再生対象とする楽曲データを選択する操作を行う必要がなく、操作性がよい。
【０００８】
上記構成の記録再生装置において、前記制御部に、前記再生部に前記記録終了時に再生停止させた前記記録データに対応する楽曲データを再生させる際に、当該楽曲データを最初から再生させてもよい。
【０００９】
また、上記構成の記録再生装置において、前記制御部に、前記再生部に前記記録終了時に再生停止させた前記記録データの再生開始からの経過時間に基づき、当該経過時間に対応する再生位置から前記楽曲データを再生させてもよい。
【００１０】
また、上記構成の記録再生装置において、ユーザから操作指示の入力を受け付ける入力部を備えさせ、前記制御部に、全楽曲データの記録が終了するまでの間、前記入力部における前記楽曲データ取得部に対する操作指示の入力の受け付けを禁止させることが好ましい。
【００１１】
また、上記構成の記録再生装置において、前記制御部に、前記楽曲データが前記記録媒体に記録される速度が前記記録データが再生される速度よりも早くなるように制御させてもよい。
【００１２】
また、本発明の記録再生方法は、記録再生装置を用いて外部記録媒体から楽曲データを取得して記録媒体に記録するとともに楽曲データの再生を行う記録再生方法において、外部記録媒体から楽曲データを取得する過程と、前記楽曲データを記録媒体に記録データとして記録するとともに、当該楽曲データの記録と並行して前記再生部に前記記録データを再生させ、前記記録対象の全楽曲データの記録が終了すると、前記記録データの再生を停止させ、再生停止された記録データに対応する楽曲データを再生させる過程と、を備えたことを特徴とする。
【００１３】
また、本発明の制御プログラムは、楽曲データ取得部と、記録部と、再生部とを備える記録再生装置をコンピュータを用いて制御する制御プログラムにおいて、前記楽曲データ取得部に、外部記録媒体から楽曲データを取得させ、前記記録部に前記楽曲データを記録媒体に記録データとして記録させ、前記記録部による記録と並行して前記再生部に前記記録データを再生させ、前記記録対象の全楽曲データの記録が終了すると、前記記録データの再生を停止させ、再生停止された記録データに対応する楽曲データを前記再生部に再生させること、を特徴とする。
【発明の効果】
【００１４】
本発明によれば、外部記録媒体に記録された楽曲データを高速に他の記録媒体に記録する際に、記録終了時に直ちに外部記録媒体に記録された楽曲データの再生等に関する操作を行うことができるので、ユーザにとって使い勝手がよい。
【発明を実施するための最良の形態】
【００１５】
以下、図面を参照して、本発明の実施の形態を説明する。
図１に本実施の形態の記録再生装置１の主要構成を示す。図１に示すように、記録再生装置１は、楽曲データ取得部１０と、記録部２０と、信号処理部３０（再生部）と、音声出力部４０と、表示・入力部５０と、制御部６０とを備えている。本実施の形態の記録再生装置１は、外部記録媒体１１に記録された楽曲データを記録部２０が備える記録媒体２１に２倍速または４倍速など通常の再生速度よりも早い速度で録音（記録）する高速録音処理を行えるようになっている。以下、各構成要素について説明する。
【００１６】
楽曲データ取得部１０は、外部記録媒体１１を取り外し自在に接続し、外部記録媒体１１に記録された楽曲データを取得して信号処理部３０に出力するものであり、本実施の形態では音楽用ＣＤから音楽等の楽曲データを取得するＣＤ再生装置を用いて構成される。
【００１７】
記録部２０は、上述の通り記録媒体２１を備え、記録媒体２１に信号処理部３０から出力される楽曲データを録音データとして記録し、楽曲データを記録する都度、録音データを順次信号処理部３０に出力するもので、本実施の形態では記録媒体２１としてフラッシュメモリを用いて構成される。
【００１８】
信号処理部３０は、ＤＳＰ３１（Digital Signal Processor）と、ＲＡＭ３２と、ＲＯＭ３３とを備え、制御部６０の制御の下、ＲＯＭ３３に記録された制御プログラムに従い、ＲＡＭ３２の一部を作業領域として、楽曲データを記録媒体２１に録音させるために、必要に応じて所定の符号化方式に従い符号化処理等の信号処理を施して記録部２０に信号処理後の楽曲データを出力し、楽曲データ取得部１０または記録部２０から入力する楽曲データまたは録音データに対して必要に応じて復号化処理等の信号処理を施して、楽曲データまたは録音データを再生して音声出力部４０に音声信号として再生された楽曲データまたは録音データを出力するものである。
【００１９】
ここで、符号化方式としては、例えば、ＷＭＡ（Windows（登録商標） Media Audio）、ATRAC（登録商標）（ＡＴＲＡＣ、ＡＴＲＡＣ３、ＡＴＲＡＣ３ｐｌｕｓ、ＡＴＲＡＣ Advanced Lossless）、ＭＰ３（MPEG Audio Layer-3）等の種々の音声圧縮符号化方式を用いることができる。
【００２０】
音声信号出力部は、アンプ４１とスピーカ４２とを備え、信号処理部３０から入力する楽曲データまたは録音データに対応する音声信号をアンプ４１で増幅してスピーカ４２を介して音声として外部に出力するものである。
【００２１】
表示・入力部５０は、液晶ディスプレイ５１と、液晶ディスプレイ５１上に配置されるキーマトリックス５２と、表示制御・入力検出部５３とを備えている。液晶ディスプレイ５１には、制御部６０の制御の下、表示制御・入力検出部５３により操作画面等の各種画面が表示される。キーマトリックス５２は、透明な素材を用いてシート状に形成されたもので、縦横に升目のように電極を並べたスイッチを有する。液晶ディスプレイ５１に表示される操作画面に設けられた各種操作ボタンをユーザが押下操作することにより、キーマトリックス５２が押下操作された位置に応じた信号を表示制御・入力検出部５３に出力し、表示制御・入力検出部５３を介してユーザの操作に応じた指示が制御部６０に入力される。その他、表示・入力部５０は、図示しない電源投入スイッチ、音量調節ボタン等の各種操作子を有し、ユーザからの各種操作指示を受け付ける。
【００２２】
制御部６０は、メインマイコン６１とサブマイコン６２を有している。メインマイコン６１は、この記録再生装置１全体の制御を行うマイクロプロセッサで、サブマイコン６２はメインマイコン６１の制御の下、主として信号処理部３０と楽曲データ取得部１０の動作を制御するマイクロプロセッサである。
【００２３】
次に、図２を参照して、上記記録再生装置１において、制御部６０の制御の下、メインマイコン６１とサブマイコン６２の協働の下、実行される高速録音処理について説明する。但し、図２に示す高速録音処理では、倍速（２倍速）で外部記録媒体１１に記録された楽曲データを記録媒体２１に録音する場合を例に挙げて説明する。
【００２４】
まず、表示・入力部５０を介して、ユーザから高速録音指示が入力されると（ステップＳ１：Ｙ）、制御部６０は、楽曲データ取得部１０に対するユーザからの指示入力の受け付けを禁止する（ステップＳ２）。但し、ユーザは、表示・入力部５０を介して高速録音指示を入力するに際して、外部記録媒体１１に記録された楽曲データのうち、録音すべき楽曲データを指定することができる。
【００２５】
次に、ユーザから指定された楽曲データを記録媒体２１に録音させるとともに、録音させた録音データを順次記録媒体２１から読み出して信号処理部３０において再生し、音声出力部４０から音声として外部に出力する（ステップＳ３）。
【００２６】
ここで、ユーザからＴＲＡＣ１〜ＴＲＡＣ３の３曲分の楽曲データＤＴＲ１〜ＤＴＲ３の録音指示があったとすると、ステップＳ３では、図３（ａ）に示すように、楽曲データ取得部１０によりＴＲＡＣ１〜ＴＲＡＣ３の３曲分の楽曲データＤＴＲ１〜ＤＴＲ３を外部記録媒体１１から通常の再生速度の２倍の早さで順次読み出して、信号処理部３０に出力させる。そして、信号処理部３０では、楽曲データ取得部１０から入力されたＴＲＡＣ１〜ＴＲＡＣ３に対応する楽曲データＤＴＲ１〜ＤＴＲ３に対して、必要に応じて復号化・符号化処理を順次施して、図３（ｂ）に示すように、記録部２０に録音データＲＴＲ１〜ＲＴＲ３として通常の再生速度の２倍の早さで順次録音させる。次に、記録部２０における録音データＲＴＲ１〜ＲＴＲ３の録音と並行して、当該録音データＲＴＲ１〜ＲＴＲ３を順次通常の再生速度で読み出して、図３（ｃ）に示すように、音声出力部４０を介してＴＲＡＣ１に対応する録音データＲＴＲ１から順に外部に音声として出力させる。
【００２７】
以上の処理を、ユーザにより指定された楽曲データが記録媒体２１に全て録音されるまでの間継続して行う。全楽曲データの録音が終了すると（ステップＳ４：Ｙ）、図３（ｃ）に示すように、録音終了時に再生されていた録音データの再生を停止させる（ステップＳ５）。図３に示す例では、録音データＲＴＲ２を再生している途中で、ＴＲＡＣ１〜３に対応する楽曲データＤＴＲ１〜３の録音が終了するので、その時点で録音データＲＴＲ２の再生を停止させる。
【００２８】
そして再生停止された録音データに対応する楽曲データを楽曲データ取得部１０に取得させて、信号処理部３０において当該楽曲データに必要な信号処理を施させて、音声出力部４０を介して外部に出力させる（ステップＳ６）。すなわち、図３に示す例では、録音データＲＴＲ２に対応するＴＲＡＣ２の楽曲データＤＴＲ２を楽曲データ取得部１０により取得させて、信号処理部３０によりこの楽曲データＤＴＲ２に対して必要な信号処理を施させて、当該楽曲データＤＴＲを最初から通常の再生速度で再生させ、音声出力部４０を介して再生させた音声信号を外部に出力させる（ステップＳ６）。そして、表示・入力部５０における楽曲データ取得部１０に対する指示入力の受け付けを開始し（ステップＳ７）、高速録音処理を終了する。
【００２９】
以上説明した本実施の形態によれば、ユーザにより指定された楽曲データの録音が全て終了した時点で録音データの再生が停止され、再生停止された記録データに対応する楽曲データが楽曲データ取得部１０により外部記録媒体１１から取得されて再生される。すなわち、録音終了時には信号処理部３０において再生されるデータが録音データから楽曲データに切り替わり、また、楽曲データ取得部１０に対する指示入力の受け付けが開始されるので、ユーザは、録音終了とともに外部記録媒体１１に記録された楽曲データの再生、選曲等に関する操作を直ちに行うことができる。このため、外部記録媒体１１から高速に楽曲データを記録媒体２１に録音する際の操作性がよい。
【００３０】
また、ユーザは録音終了時に外部記録媒体１１からの楽曲データの再生、選曲等に関する操作を直ちに行えるので、録音終了時に再生していた録音データの再生が終了するまで待機する必要がない。このため、図３に示したように、通常の再生速度よりも高速に録音をした際でも録音時間が実質的に録音データの再生時間に拘束されるといったことがない。すなわち、例えば、１曲分の楽曲データを録音対象とする場合、従来であれば録音された録音データの再生が終了するまで選曲等の操作を待機する必要があったが、上記実施の形態によれば、録音終了と同時に録音データの再生が停止されるので、録音時間が録音データの再生時間に拘束されることなく、高速録音の機能を十分に発揮することができる。
【００３１】
また、録音終了時に再生されていた録音データに対応する楽曲データが外部記録媒体１１から再生されるので、再生させる楽曲データを改めて選曲する操作を行う必要がなく、使い勝手がよい。また、図３に示す例では、録音終了時に再生されていた録音データＲＴＲ２に対応する楽曲データＤＴＲ２を、最初から再生することとしているので、ユーザは音声出力部４０からＴＲＡＣ２に対応する楽曲が２度再生されることにより、指定した楽曲データの録音が終了したことを聴覚により知ることができる。
【００３２】
以上説明した上記実施の形態は、本発明の一態様であり、本発明は上記実施の形態に限定されるものでなく、本発明の趣旨を逸脱しない範囲において適宜変更可能であるのは勿論である。
【００３３】
例えば、上記実施の形態では、外部記録媒体１１として、音楽用ＣＤを例に挙げて説明したが、外部記録媒体１１は音楽用ＣＤに限定されるものではなく、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ等の光ディスク型の記録媒体や、コンパクトフラッシュ（登録商標）やＳＤ（Secure Digital）メモリカード等のフラッシュメモリを採用した記録媒体等、各種記録媒体を適用することができる。また、楽曲データ取得部１０は、ＣＤ再生装置に限定されるものではなく、外部記録媒体の種類に応じて、外部記録媒体に記録された楽曲データを取得できる構成であればよいのは勿論である。
【００３４】
また、上記実施の形態では、記録部２０としてフラッシュメモリを例に挙げて説明したが、記録部２０および記録媒体２１はフラッシュメモリに限定されるものではなく、ハードディスク装置等の磁気記録媒体であってもよいし、上記光ディスク型の記録媒体であってもよいし、ＭＤ（Mini Disc（登録商標））等の光磁気記録媒体であってもよいし、特に限定されるものではない。
【００３５】
また、上記実施の形態では、高速録音処理において、２倍速で録音するものとして説明しているが、録音する際の速度は２倍速に限定されるものではなく、４倍速等、任意の速度を設定することができる。
【００３６】
また、図３には、２曲目（ＴＲＡＣ２）の録音データＲＴＲ２の再生の途中で録音が終了した場合、録音データＲＴＲ２の再生を停止させて、ＴＲＡＣ２の楽曲データＤＴＲ２を外部記録媒体１１から読み出して、ＴＲＡＣ２の楽曲データＤＴＲ２を最初から再生させる例を記載したが、これに限定されるものではなく、録音データＲＴＲ２の再生が停止されたデータ位置に対応するデータ位置からＴＲＡＣ２の楽曲データＤＴＲ２を外部記録媒体１１から取得して、停止されたデータ位置に対応するデータ位置から楽曲データＤＴＲ２の再生を行うようにしてもよい。
【図面の簡単な説明】
【００３７】
【図１】記録再生装置の機能的構成を示すブロック図である。
【図２】実施の形態の処理手順を示すフローチャートである。
【図３】実施の形態の高速録音処理を説明するための図である。
【符号の説明】
【００３８】
１  記録再生装置
１０  楽曲データ取得部
１１  外部記録媒体
２０  記録部
２１  記録媒体
３０  信号処理部（再生部）
４０  音声出力部
５０  表示・入力部
６０  制御部
【図１】
2007250098.tif 000003
【図２】
2007250098.tif 000004
【図３】
2007250098.tif 000005